(57)【要約】【課題】足裏が接触する表面に通気性と動脈の圧迫を防止するために、足裏の動脈を追従する空気通路が形成されている靴を開示する。。【解決手段】本発明は、着用者の足を収容する空間を有するアッパーと、空間の中に収容されているミッドソールを有するソールを含んでいる。ミッドソールは、着用者の足裏と接触する表面を有し、足裏に投影されている足裏の血管を追従するように複数の空気通路が表面に陰刻されている。本発明によれば、ミッドソールの表面に足裏の動脈を追従する空気通路が形成され、足裏との間に空気の流れが可能な空間が形成されるので汗?湿気などが効果的に除去され、足の臭いを防止することができるだけではなく、皮膚の損傷や水虫などが防止され、足の疾患を予防できる。また、着用者の歩行時に空気通路によって足裏動脈の圧迫が防止され、血液の循環が良くなり、足の健康を増進させることができ、靴のフィット感を向上させ、足裏の疲れも減少させることができる。【選択図】図１
2020529907.tif 000002
【特許請求の範囲】
【請求項１】
着用者の足を収容する空間を有するアッパーと；
前記空間内に収容されているインソールを有するソールを含めて、
前記インソールは、着用者の足裏と接触する表面を有し、足裏に投影される足裏の血管を追従するように、複数の空気通路が前記表面に陰刻されている靴。
【請求項２】
前記ソールは、前記アッパーの下面に付着しているミッドソールと、前記ミッドソールの下面に付着しているアウトソールを備え、前記ミッドソールは、前記ミッドソールと分離できるように前記空間内に収容されており、前記複数の空気通路は、相互に接続されるように形成されている請求項１記載の靴。
【請求項３】
前記ミッドソールは、つま先と隣接する先端、ヒールと隣接する後端で、前記先端と前記後端に接続するエッジを有し、前記先端、前記後端および前記エッジと隣接する前記複数の空気通路のそれぞれの末端は閉鎖されているチャンネル状に形成されている請求項１または請求項２記載の靴。
【発明の詳細な説明】
【技術分野】
【０００１】
本発明は、靴に関するもので、より詳細には足裏と接触する表面の通気性と動脈の圧迫を防止するため、足裏の動脈を追従する空気通路が形成されている靴に関するものである。
【背景技術】
【０００２】
靴はアッパー（Upper）、ソール（Sole）と靴ひも（Shoelace）などで構成されている。スニーカー、靴、作業靴、スクールシューズ(上履き）などのようなほとんどの靴はアッパーに囲まれて着用者が着用した時、空気が循環されない閉鎖空間を形成するため、風通しは良くならない。通気性が良くない靴は、足から分泌される汗によって不快な臭いがたくさん出たり、細菌感染から水虫のような足の疾患の原因となっている。特に、汗がたくさん出る夏には、靴の中に汗が溜まり、足が蒸れやすくなって皮膚損傷を起こしたり、細菌の繁殖による水虫を発生させることになる。
【０００３】
一方、靴の通気性を改善するために、着用者が靴を着用して歩行する際に空気を供給・循環させることができる様々な形態の靴が開発されている。韓国登録特許第１０‐１１６４４６３号「空気循環機能を持つ靴」は空気室、通気路が形成されているソール（Sole）と、歩行中に復元力を提供するインナークッション（Inner cushion）と、インナークッションの上に配置されている多孔バルブプレートおよび空気室に空気を排出させるためのバルブを備える。インナークッションの収縮および復元によって靴の中の汚染された空気は、通気路に沿ってソールの空気室へ排出される。韓国登録特許第１０‐０４６２８０９号「外部空気流入用の靴インソール」は、インナーソールまたはインソール（Insole）に装着されているチェックバルブ（Check valve）とエアーポンプ（Air pump）を備える。エアーポンプの作動により、空気は流通路に沿ってインナーソールの後面から前面に供給された後、排出孔を介して、つま先の方から排出される。チェックバルブは、ソールの側面に形成されている流入穴を介して空気が靴の中のみに流入されるようにする。
【先行技術文献】
【特許文献】
【０００４】
【特許文献１】韓国登録特許第１０‐１１６４４６３号公報
【特許文献２】韓国登録特許第１０‐０４６２８０９号公報
【発明の概要】
【発明が解決しようとする課題】
【０００５】
前記のような靴の通風構造は、ソールの複雑な構成により製造コストを上昇させる原因となっている。また、インナークッションやエアーポンプがソールに内蔵されてソールの耐久性と信頼性を大幅に低下させる問題がある。したがってソールの構造を大きく変更しないで耐久性を維持しながらも、通風機能の実現できるかつフィット感を向上させられる靴が求められている。
【０００６】
本発明は、前記のような要求を満たすことができる新しい靴を提供することを目的とする。
【課題を解決するための手段】
【０００７】
本発明の一側面によると、靴が提供される。本発明に係る靴は、着用者の足を収容する空間を有するアッパーと；スペースに収容されている靴のインソールを有するソールを含めて、インソールは、着用者の足裏と接触する表面を有し、足裏に投影されている足裏の血管を追従するように、複数の空気通路が表面に陰刻されている。
【０００８】
本発明に係る靴において、ソールはアッパーの下面に付着しているミッドソールと、ミッドソールの下面に付着しているアウトソールを備え、インソールはミッドソールと分離できるようにスペースの中に収容されており、複数の空気通路は相互に繋がるように形成されている。
【発明の効果】
【０００９】
本発明に係る靴は、インソールの表面に足裏の動脈を追従する空気通路が形成されて、足裏との間に空気の流れが可能な空間が形成されるので、汗、湿気などが効果的に除去され、足の臭いを防ぐことができるだけでなく、皮膚の損傷、水虫などが防止され、足の疾患を予防することができる。また、着用者の歩行時の空気通路によって足裏の動脈圧迫が防止されて血液の循環が良くなり、足の健康を増進させることができ、靴のフィット感を向上させ、足の裏の疲れも減少させて靴の機能性と実用性を大幅に向上させる効果がある。
【図面の簡単な説明】
【００１０】
【図１】は、本発明による靴を分離して示した斜視図である。
【００１１】
【図２】は、本発明に係る靴のインソールの空気通路が追従する足裏の動脈を例示的に示した底面図である。
【００１２】
【図３】は、本発明に係る靴のインソールを示した平面図である。
【００１３】
【図４】は、本発明に係る靴のインソールを部分的に示す断面図である。
【発明を実施するための形態】
【００１４】
本発明のその他の目的、特定の利点と新規特徴は、添付された図面と関連している以下の詳細な説明と好ましい実施例からより明確になるだろう。
【００１５】
以下、本発明に係る靴の好ましい実施例を添付された図面に基づいて詳細に説明する。
【００１６】
まず、図１に、本発明に係る靴の一例としてスニーカーが示されている。図１を参照すると、本発明に係る靴は、着用者の足を取り囲んで収容するアッパー１０、アッパー１０の下面に付着しているソール２０で構成されている。アッパー１０は、靴の上部部分として外観と形状を維持し、足の甲や関節部位を保護する役割をする。アッパー１０は、着用者の足を収容する空間１２を形成して皮革、人工皮革、合成繊維などの素材に製作できる。
【００１７】
ソール２０は、靴の下部部分でミッドソール（Ｍｉｄｓｏｌｅ：２２）、アウトソール（Ｏｕｔｓｏｌｅ：２４）とインソール２６で構成されている。アウトソール２４、ミッドソール２２とインソール２６はゴム、合成ゴム、柔軟性を有する合成樹脂などを素材に製作できる。ミッドソール２２は、縫製や接着剤の接着によりアッパー１０の下面に付着することができる。ミッドソール２２はアウトソール２４とインソール２６との間にサンドイッチ状に介在する部分で、歩行と走行時の足に作用される衝撃を吸収・分散させる緩衝の役割をする。アウトソール２４は、地面と接する部分で歩行と運動時、そのパターン（Ｐａｔｔｅｎ）によってスリップを防止して安心感を与える役割をする。アウトソール２４は、接着剤の接着によりミッドソール２２の下面に付着できる。いくつかの実施例において、ミッドソール２２は、アウトソール２４と一体型で構成されることができる。
【００１８】
インソール２６は、靴内側の底部において、靴と接触して分離できる部分で足の疲れ防止や汗が原因で発生する臭いと水虫を防止する役割を果たして、よくインナーソールと呼んでいる。インソール２６は、足指と隣接する先端２６ａ、ヒールと隣接する後端２６ｂ、先端２６ａと後端２６ｂを接続するエッジ２６ｃと、足裏２が接触する表面２６ｄを有している。
【００１９】
図１〜図４をすべて参照すると、複数の空気通路２８が足裏２または表面２６ｄに投影されている足裏の動脈４を追従するように、表面２６ｄに陰刻されている。空気通路２８は、互いに接続されるように、表面２６ｄに形成されている。先端２６ａ、後端２６ｂおよびエッジ２６ｃのそれぞれと隣接する空気通路２８のそれぞれの末端は閉鎖されている。空気通路２８は、チャンネル（Ｃｈａｎｎｅｌ）または溝（Ｇｒｏｏｖｅ）の形で表面２６ｄに形成されて足裏２との密着時に空気の流れを可能にする空間を形成するようになる。いくつかの実施形態では、空気通路２８は、足裏の動脈４と一緒に表面２６ｄに投影されている足甲の動脈を追従するように形成されることもできる。図４に示されているように、空気通路２８の断面は、四角形、半円形、台形などの様々な形状に形成できる。
【００２０】
このような構成を有する本発明による靴において、ソール２との間に空間を形成する空気通路２８を介して空気の流れが可能となり、汗・湿気などが効果的に除去されるので、足の臭いを防ぐすることができるだけでなく、汗・湿気などによる皮膚の損傷、水虫などが防止されて足の疾患を予防できる。
【００２１】
一方、空気通路２８が足裏の動脈４を追従できず、足裏の動脈４とずらして形成される場合には、着用者の歩行時の足裏の動脈４が空気通路２８によって圧迫されて血液の循環を悪くし、靴のフィット感を低下させ、足裏２の疲労度を高める恐れがある。本発明に係る靴は、着用者の歩行時のインソール２６の表面２６ｄに足裏の動脈４を追従するように形成されている空気通路２８によって足裏の動脈４を圧迫しないようになる。したがって、足裏２の血液循環が改善され、足の健康を増進させることができ、靴のフィット感を向上させて足裏２の疲労度を減少できる。
【００２２】
以上で説明した実施例は、本発明の好ましい実施例を説明したものに過ぎず、本発明の権利範囲は、説明された実施例に限定されるものではなく、本発明の技術的思想と特許請求の範囲内で、この分野の当業者によって様々な変更、変形または置換が可能であり、そのような実施例は、本発明の範囲に属するものと理解されるべきである。
【符号の説明】
【００２３】
１０    アッパー
１２    着用者の足を収容する空間
２０    ソール
２２    ミッドソール
２４    アウトソール
２６    インソール
２６ａ  先端
２６ｂ  後端
２６ｃ  エッジ
２６ｄ  表面
２８    空気通路
【図１】
2020529907.tif 000003
【図２】
2020529907.tif 000004
【図３】
2020529907.tif 000005
【図４】
2020529907.tif 000006
【国際調査報告】
2020529907.tif 000007
2020529907.tif 000008
2020529907.tif 000009
2020529907.tif 000010